【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
ステレオ発音体への左右出力端子を有する筐体と、
筐体に組み込まれるマイクロフォンであって、ユーザの音声を拾う左右のユーザ音声マイクロフォンを含む複数のマイクロフォンと、
複数のマイクロフォンと左右出力端子との間に接続されて配置される電子回路であって、左右のユーザ音声マイクロフォンが拾う左右外部音声の聴覚感度を調整素子の調整によってバランスさせるバランス回路を含む電子回路と、
筐体に設けられ、ユーザによって操作可能な調整操作子であって、調整素子の調整を操作する調整操作子と、
を備えることを特徴とする聴覚感度調整装置。
【請求項２】
ステレオ発音体への左右出力端子を有する筐体と、
筐体に組み込まれるマイクロフォンであって、外部音声を拾う左右の外部音声マイクロフォンと、ユーザの音声を拾う左右のユーザ音声マイクロフォンの４つのマイクロフォンと、
４つのマイクロフォンと左右出力端子との間に接続されて配置される電子回路であって、左右の外部音声マイクロフォンが拾う左右外部音声の聴覚感度を第１調整素子の調整によってバランスさせる第１バランス回路と、左右のユーザ音声マイクロフォンが拾う左右外部音声の聴覚感度を第２調整素子の調整によってバランスさせる第２バランス回路とを含む電子回路と、
筐体に設けられ、ユーザによって操作可能な調整操作子であって、第１調整素子の調整及び第２調整素子の調整を操作する複数の調整操作子と、
を備えることを特徴とする聴覚感度調整装置。
【請求項３】
請求項２に記載の聴覚感度調整装置において、
筐体は、左右の外部音声マイクロフォンのそれぞれの集音部が配置される一方側面と、一方側面とは反対側の側面であって左右のユーザ音声マイクロフォンのそれぞれの集音部が配置される他方側面とを有することを特徴とする聴覚感度調整装置。
【請求項４】
請求項３に記載の聴覚感度調整装置において、
筐体は、一方側面の表面から左右の外部音声マイクロフォンのそれぞれの集音部に向けて設けられる左右の外部音声用指向性開口部と、他方側面の表面から左右のユーザ音声マイクロフォンのそれぞれの集音部に向けて設けられる左右のユーザ音声用指向性開口部とを有することを特徴とする聴覚感度調整装置。
【請求項５】
請求項４に記載の聴覚感度調整装置において、
左の外部音声用指向性開口部は左のユーザ音声用指向性開口部と同心状に配置され、右の外部音声用指向性開口部は右のユーザ音声用指向性開口部と同心状に配置されることを特徴とする聴覚感度調整装置。
【請求項６】
請求項１に記載の聴覚感度調整装置において、
電子回路は、
左右のユーザ音声マイクロフォンと左右出力端子との間の接続をオンオフし、または左右の外部音声マイクロフォンと左右出力端子との間の接続をオンオフするスイッチ回路を有し、さらに、
筐体に設けられ、ユーザによって操作可能なオンオフ操作子であって、スイッチ回路のオンオフを操作するオンオフ操作子を備えることを特徴とする聴覚感度調整装置。
【手続補正２】
【補正対象書類名】明細書
【補正対象項目名】０００８
【補正方法】変更
【補正の内容】
【０００８】
また、本発明に係る聴覚感度調整装置は、ステレオヘッドフォンまたはステレオイヤホンへの左右出力端子を有する筐体と、筐体に組み込まれるマイクロフォンであって、外部音声を拾う左右の外部音声マイクロフォンと、ユーザの音声を拾う左右のユーザ音声マイクロフォンの４つのマイクロフォンと、４つのマイクロフォンと左右出力端子との間に接続されて配置される電子回路であって、左右の外部音声マイクロフォンが拾う左右外部音声の聴覚感度を第１調整素子の調整によってバランスさせる第１バランス回路と、左右のユーザ音声マイクロフォンが拾う左右外部音声の聴覚感度を第２調整素子の調整によってバランスさせる第２バランス回路とを含む電子回路と、筐体に設けられ、ユーザによって操作可能な調整操作子であって、第１調整素子の調整及び第２調整素子の調整を操作する複数の調整操作子と、を備えることを特徴とする。
【手続補正３】
【補正対象書類名】明細書
【補正対象項目名】００１２
【補正方法】変更
【補正の内容】
【００１２】
本発明に係る聴覚感度調整装置において、電子回路は、左右のユーザ音声マイクロフォンと左右出力端子との間の接続をオンオフし、または左右の外部音声マイクロフォンと左右出力端子との間の接続をオンオフするスイッチ回路を有し、さらに、筐体に設けられ、ユーザによって操作可能なオンオフ操作子であって、スイッチ回路のオンオフを操作するオンオフ操作子を備えることが好ましい。
【手続補正４】
【補正対象書類名】明細書
【補正対象項目名】００２８
【補正方法】変更
【補正の内容】
【００２８】
ここで、聴覚感度とは、マイクロフォンが拾った音声等をユーザが自分の耳で聴覚として聞いたときに、その音声の大きさのことである。例えば、左右のマイクロフォンの性能が完全に同じとし、ステレオヘッドフォン２０の左右のイヤスピーカ２２，２３の性能が完全に同じとして、同じ音声を左右のマイクロフォンがそれぞれ拾い、そのまま忠実にステレオヘッドフォン２０の左右のイヤスピーカ２２，２３に伝達するときは、左右のイヤスピーカ２２，２３からは同じ音量の音声等が出力されることになる。ところが、ユーザの左右の耳の聴力が異なっていると、ユーザの聴覚としては、左右の耳で相互に異なる音量の音声等と認識する。
【手続補正５】
【補正対象書類名】明細書
【補正対象項目名】００３５
【補正方法】変更
【補正の内容】
【００３５】
同様に、背面壁３６に設けられる集音穴５４，５６に対応するマイクロフォン４４，４６は正面壁３４のところに設けられ、集音穴５４，５６とマイクロフォン４４，４６との間には、細長い貫通穴である指向性導音管６４，６６が設けられる。
【手続補正６】
【補正対象書類名】明細書
【補正対象項目名】００３８
【補正方法】変更
【補正の内容】
【００３８】
このように、指向性導音管の長さと穴径の適当な設定によって、指向性を維持しながら、マイクロフォン４０，４２，４４，４６を筐体３３の中央部に配置することができる。具体的には、図３に示されるように、左の外部音声用の指向性導音管６０と左のユーザ音声用の指向性導音管６４とを同心状に配置し、その間の位置に左の外部音声用のマイクロフォン４０と左のユーザ音声用のマイクロフォン４４とをそれぞれの集音面をそれぞれの集音穴５０，５４に向けて背中合わせに配置する。同様に右の外部音声用の指向性導音管６２と右のユーザ音声用の指向性導音管６６とを同心状に配置し、その間の位置に右の外部音声用のマイクロフォン４２と右のユーザ音声用のマイクロフォン４６とをそれぞれの集音面をそれぞれの集音穴５２，５６に向けて背中合わせに配置する。
【手続補正７】
【補正対象書類名】明細書
【補正対象項目名】００４２
【補正方法】変更
【補正の内容】
【００４２】
図４（ｃ）は、らせん管状の指向性導音管６９の例を示す図である。図２、図３において、指向性導音管６２は、集音穴５２からマイクロフォン４２のところまで直線状に延びる穴である。図４（ｃ）においては、らせん管状の指向性導音管６９としてあるので、集音穴５２からマイクロフォン４２までの指向性導音管６９の長さは、図２、図３で説明した直線状の指向性導音管６２の長さの数倍とすることができる。この構成によって、指向性を一段と向上させることができる。
【手続補正８】
【補正対象書類名】明細書
【補正対象項目名】００４５
【補正方法】変更
【補正の内容】
【００４５】
筐体３２の上面に設けられる第１調整操作子９０、第２調整操作子９２は、聴覚感度をユーザが調整するための操作子である。第１調整操作子９０は、外部音声用のマイクロフォン４０，４２とステレオヘッドフォン２０のイヤスピーカ２２，２３との総合的な聴覚感度について、左右のバランスをとり、また、全体的な音量レベルを調整する機能を有する。音量レベルの調整には音量をゼロにすることが含まれるので、オン・オフスイッチとしての機能も有することになる。第２調整操作子９２は、ユーザ音声用のマイクロフォン４４，４６とステレオヘッドフォン２０のイヤスピーカ２２，２３との総合的な聴覚感度について、左右のバランスをとり、また、全体的な音量レベルについてオン・オフを含めて調整する機能を有する
【手続補正９】
【補正対象書類名】明細書
【補正対象項目名】００６０
【補正方法】変更
【補正の内容】
【００６０】
このようにして、外部音声に対する聴覚感度の調整が完了すると、一旦、ディスクプレーヤ１２をオフする。そして、次に、ユーザが自ら適当な音声を発生しながら、聴覚感度調整装置３０の第２調整操作子９２における内側の回転式ダイヤルを操作してオン状態とし、適当な音量レベルとする。そして、外側の回転式ダイヤルを操作し、ステレオヘッドフォン２０の左右のイヤスピーカ２２，２３から聞こえる音量等が同じとなるようにして、左右の聴覚感度のバランスを取る。これによって第２バランス回路８２において、ユーザ音声に対する聴覚感度のバランス調整が行われることになる。